(57)【特許請求の範囲】
【請求項１】
筒状のファンケースと、このファンケースの内部に固定されることにより前記ファンケースの内部を入口側と出口側とに分ける仕切板と、この仕切板の入口側に出力軸が突出するように前記ファンケースの軸線に沿って仕切板の出口側に固定された駆動モータと、軸方向から空気を吸い込み径方向外方へ送り出すように放射状に形成された多数のパイプ通路を有して前記仕切板の入口側に配置されかつ前記駆動モータの出力軸に結合されたファン兼塵埃捕捉部材と、このファン兼塵埃捕捉部材へ空気流を導く空気取入口を中央に有し、前記ファンケースの入口側に前記仕切板と前記ファンケースと協同して前記ファン兼塵埃捕捉部材を取り囲む空間を形成するように配置された入口板と、前記仕切板の出口側で前記ファンケースの内側に設けられ前記ファンケースとともに環状の空気通路を形成する円筒部材とを備え、
前記仕切板は、前記ファンケースの内壁に近い部分の周方向にほぼ等配されて切り起こし形成され、前記ファン兼塵埃捕捉部材のパイプ通路および前記通気口を経た空気流の方向を変える複数対の偏向板および通気孔を有し、前記偏向板によって方向を変えられた空気流を前記空気通路に導いて旋回させることを特徴とする送風機。
【請求項２】
請求項１記載の送風機において、
前記ファンケースの後端に、内方向に向かって逆Ｕ字状に折れ曲がった塵埃捕捉部を設けたことを特徴とする送風機。
【請求項３】
請求項１または２記載の送風機において、
前記ファン兼塵埃捕捉部材のパイプ通路の内壁に、螺旋状の溝または螺旋状の突起を形成したことを特徴とする送風機。
【請求項４】
請求項１または２記載の送風機において、
前記ファン兼塵埃捕捉部材のパイプ通路内に、螺旋板を配置したことを特徴とする送風機。
【請求項５】
請求項１記載の送風機において、
前記ファン兼塵埃捕捉部材を少なくとも２枚の円板と、これらの円板間に配置された通路形成部材とで構成し、
前記通路形成部材を、放射状に積層配置された多数のパイプ通路からなる複数のパイプ通路群と、これらのパイプ通路群間に配置された複数のスペーサ部材とで構成したことを特徴とする送風機。
【発明の詳細な説明】
【０００１】
【発明の属する技術分野】
本発明は、送風機に関し、特に、遠心分離によって集塵する集塵機能を備えた送風機に関する。
【０００２】
【従来の技術】
従来からこの種の送風機として種々提案されており、図９に示されるのもそのひとつである。この送風機は、たとえば、溶接時に発生する煙のようにきわめて粒子の小さいちり、ごみを除去しなければならない個所、あるいは、空冷を必要とする電子計算機等の各種電気機器等置内に取り込まれる空気中に浮遊する塵埃、油などを除去しなければならない個所に使用される排気用送風機であって、溶接時の煙中に含まれる金属微粒子のような塵埃、微粒子状の油等を除去するために、排気通路中に設けられた送風機の吸い込み側にフィルタを配置しているのが一般的である。
【０００３】
図９に示される送風機４は、駆動モータ１と、この駆動モータ１の出力軸３に取り付けられた複数の羽根２とによって構成されて排気通路６中に配置されている。そして、この排気通路６の空気取入口側には、空気取入口を覆うようにフィルタ５が配置されている。このフィルタ５は、一般にろ紙，ろ布，発泡樹脂等によって作られている。
【０００４】
【発明が解決しようとする課題】
しかしながら、このような従来の送風機にあっては、濾過材５として一般にろ紙、ろ布、合成樹脂等で製作されたフィルタを使用しているので、塵埃７、油等がフィルタ５に一旦付着して目詰まりを起こすと、洗浄して再使用することができず、目詰まりの都度新しいフィルタと交換する必要があるため不経済であった。
【０００５】
そこで、このような問題を解決する方法として、多数の細い金属線を放射状に配設したファン兼塵埃捕捉部材を使用し、このファン兼塵埃捕捉部材を駆動モータの出力軸に取り付け、駆動モータの回転とともにこのファン兼塵埃捕捉部材も回転させ、この回転によって中心から取り込んだ空気流をファン兼塵埃捕捉部材を介して放射状に外周方向に導き、空気流が中心から放射状に導かれる過程で塵埃、微粒子状の油等を除去するようにした送風機が提案されている。
しかしながら、このような送風機では、ファン兼塵埃捕捉部材を構成する金属線が空気流に対して障害物となるため、圧力損失が大きく、送風性能が低いという問題があった。
また、金属線の代わりに多数のパイプを用いてファン兼塵埃捕捉部材を構成し、これを駆動モータの出力軸に取り付け、空気を軸線方向から取り入れ径方向外方に送り出すようにした送風機（特願平６−１０５０５２号）も提案されているが、この送風機は、パイプを通った空気流中に含まれている塵埃、油等を取り除くために、送風機の軸線方向に長い空気通路を設ける必要があったため、送風機が大型化するという問題があった。
【０００６】
本発明は上述した従来の問題点を解決するためになされたもので、その目的とするところは、先に提案したパイプを用いてファン兼塵埃捕捉部材を構成する送風機が持っているする、洗浄による再使用が可能で経済性に富み、また圧力損失が少なく、送風性能および塵埃除去性能を向上させた効果に加えて、さらに部品点数を増やすことなく小型化を可能にした送風機を提供することにある。
【０００７】
【課題を解決するための手段】
上記目的を達成するために本発明は、筒状のファンケースと、このファンケースの内部に固定されることにより前記ファンケースの内部を入口側と出口側とに分ける仕切板と、この仕切板の入口側に出力軸が突出するように前記ファンケースの軸線に沿って仕切板の出口側に固定された駆動モータと、軸方向から空気を吸い込み径方向外方へ送り出すように放射状に形成された多数のパイプ通路を有して前記仕切板の入口側に配置されかつ前記駆動モータの出力軸に結合されたファン兼塵埃捕捉部材と、このファン兼塵埃捕捉部材へ空気流を導く空気取入口を中央に有し、前記ファンケースの入口側に前記仕切板と前記ファンケースと協同して前記ファン兼塵埃捕捉部材を取り囲む空間を形成するように配置された入口板と、前記仕切板の出口側で前記ファンケースの内側に設けられ前記ファンケースとともに環状の空気通路を形成する円筒部材とを備え、前記仕切板は、前記ファンケースの内壁に近い部分の周方向にほぼ等配されて切り起こし形成され、前記ファン兼塵埃捕捉部材のパイプ通路および前記通気口を経た空気流の方向を変える複数対の偏向板および通気孔を有し、前記偏向板によって方向を変えられた空気流を前記空気通路に導いて旋回させることを特徴とする送風機を提供するものである。
【０００８】
また、本発明は、前記ファンケースの後端に、内方向に向かって逆Ｕ字状に折れ曲がった塵埃捕捉部を設けたことを特徴とする送風機を提供するものである。
また、本発明は、前記ファン兼塵埃捕捉部材のパイプ通路の内壁に、螺旋状の溝または螺旋状の突起を形成したことを特徴とする送風機を提供するものである。
また、本発明は、前記ファン兼塵埃捕捉部材のパイプ通路内に、螺旋板を配置したことを特徴とする送風機を提供するものである。
【０００９】
また、本発明は、前記ファン兼塵埃捕捉部材を少なくとも２枚の円板と、これらの円板間に配置された通路形成部材とで構成し、前記通路形成部材を、放射状に積層配置された多数のパイプ通路からなる複数のパイプ通路群と、これらのパイプ通路群間に配置された複数のスペーサ部材とで構成したものである。
【００１０】
上述したような構成にすれば、駆動モータの駆動によって出力軸を回転させると、ファン兼塵埃捕捉部材内のパイプ通路の空気が遠心力によって外縁から外部へ放出されるため、パイプ通路の内部は負圧となる。したがって、ファン兼塵埃捕捉部材が空気吸込口を介して軸方向から吸い込んだ空気は、パイプ通路内でフィルタ作用を受けながら半径方向に導かれて外方へ送り出され、ファン兼塵埃捕捉部材のの外縁とファンケース内壁との間に空気流を形成する。この空気流は、旋回しながら仕切板に開けられた複数の通気孔を通って仕切板後方の空気通路に導かれる。このとき、各通気孔には切り起こしによって形成された偏向板がそれぞれ設けられているため、空気流は、偏向板に当たった後小さい傾斜角に方向転換された旋回流となる。このため、空気通路における旋回流のピッチは、偏向板により従来よりも小さくされ、このため空気通路のおける空気流の旋回回数が従来よりも増え、その分、短い長さの空気通路で従来と同様に旋回流中に含まれている塵埃等は遠心力によって分離することができる。このようにして分離された塵埃等は、筒体の内面に付着したり、連通孔から集塵ダクトに排出されたり、あるいは塵埃捕捉部によって捕捉される。
【００１１】
【発明の実施の形態】
以下、本発明を図面に示す実施の形態に基づいて詳細に説明する。
図１〜図５は、本発明による送風機の一実施の形態を示しており、図１は、全体構造を示す断面図、図２はファン兼塵埃捕捉部材の一部を破断して示す平面図、図３は駆動モータを取り付けた仕切板の入口側から見た正面図、図４は図３に示される仕切板のＩＶ−ＩＶ線方向の断面図、図５はファン兼塵埃捕捉部材に組み込まれたパイプを一部切り欠いた状態を示す斜視図である。なお、図９および従来技術の欄で説明した構成部材等と同じものについては同じ符号をもって示し、その説明を省略する。また、本実施の形態においては、送風機を溶接室の天井面に設置した例を示す。
【００１２】
これらの図において、１０は後述するファン兼塵埃捕捉部材４０を収納するファンケースで、このファンケース１０は、金属製であって全体として筒体である。このファンケース１０の軸方向の中間付近の内壁には、仕切板１３がたとえば溶接によって取り付けられており、この中心には、駆動モータ１が仕切板１３にファンケース１０の出口方向に向かって溶接により固定されている。したがって、この駆動モータの出力軸３は、仕切板１３の中央に開けられた孔１３ａから入口方向に突き出しており、この出力軸３に後で詳述するファン兼塵埃捕捉部材４０が取り付けられている。また、仕切板１３のファンケース１０の内壁に近い部分には、この仕切板１３を切り越こすことによって周方向にほぼ等配された複数の偏向板２３を設けられ、これによって複数の通気口２１が形成されている。この場合、偏向板は２３は、ファン兼塵埃捕捉部材４０の回転によって生じる空気流の流れに逆らわない方向に切り起こされている。
【００１３】
また、ファンケース１０の入口側には、外方に張り出したフランジ１４が形成されており、この部分に入口板１２が取り付けられている。この入口板１２は、中央に空気取入口を構成する開口１１を有し、外周縁部と内周縁部が全周にわたって内側に折り曲げられて皿状に形成されている。また、空気取入口１１に対向してかつ同心的に筒体１５が外方へ突出して設けられている。また、ファンケース１０の出口側には、上端部を内側に向かって逆Ｕ字状に折り曲げて形成した塵埃捕捉部２９が設けられている。
【００１４】
また、前述した仕切板１３の出口側には、ファンケース１０よりも径の小さい円筒状の空気通路形成部材（円筒部材）１９が取り付けられてファンケース１０とこの空気通路形成部材１９との間に環状の空気通路１８を形成している。この場合、空気通路１８は、前述した仕切板１３に設けられた複数の通気口２１を介してファン兼塵埃捕捉部材４０の配置された空間と連通していることになる。
【００１５】
ここで、仕切板１３に形成された偏向板２３は、仕切板１３の一部を上方に９０°以下の所要角度（α）で切り起こすことにより仕切板１３と一体に形成され、この仕切板の角度を調節することによって通気口２１から空気通路１８に導かれる空気流の角度を強制的に方向づけるようになっている。この場合、偏向板２３の切り起こし角度（α）は、空気通路１８を周回する空気流の周回数、すなわち周回ピッチを定めることになる。
【００１６】
また、この偏向板２３は、中心から離れるにしたがって傾斜が大きくなるように所要角度θを持たせて形成されているため、ファン兼塵埃捕捉部材４０の回転によって外方に導かれた空気流を通気口２１を介して空気通路１８に導いたとき、円周方向からファンケース１０の内壁方向に旋回方向を若干変更して導くようにされ、これによって空気流の通路を長くするとともに、空気流を内壁に衝突させながらあるいは内壁に沿って旋回させるようになっている。この場合、偏向板２３の傾斜角度αおよびθは、乱流が起きないように調整することによって最終的に確定されることになる。
【００１７】
また、ファンケース１０の外側面には、集塵ダクト２５が設けられており、この集塵ダクト２５の上端は、前記筒体１７の後端付近まで延在し、その下端は、入口板１２とファンケース１０のフランジ１４と接合されている。この集塵ダクト２５はファンケース１０に長手方向に開けられた連通孔２８および集塵ダクト２５の下端およびファンケース１０のフランジ１４に開けられた連通孔２６によってファンケース１０の内部と連通している。そして、集塵ダクト２５の下端にに対応する位置の入口板１２にはミストドレン２７が接続されている。
【００１８】
また、駆動モータ１の出力軸３に取り付けられたファン兼塵埃捕捉部材４０は、軸線方向から空気を吸い込み径方向外方へ送り出すもので、図１，図２および図５によく示されるように、上下に対向する２枚の円板４１，４２と、これらの円板４１，４２間に保持された複数のパイプグループ４３ａ，４３ｂ，４３ｃ，４３ｄと、これらのグループの間に配置されるスペーサ４８ａ，４８ｂ，４３ｃ，４３ｄとによって構成されている。また、下方円板４１は、仕切板１２から離れたファンケース１０の入口に近い部分に配置され、中央には空気取入口１１と略等しいかこれより大きい穴径を有する開口４４が形成されている。また、上方円板４２は、中央に開けられた穴に駆動モータ１の出力軸３を嵌合させかつ固定されている。また、上述した２枚の円板４１と４２との間に配置されるパイプグループ４３ａ〜４３ｄは、それぞれ、２枚一組で上下の円板と組み合わされて１つのパイプ収納部構成するように８枚のパイプ仕切板４７ａ〜４７ｈが周方向に所要の間隔をおいて放射状に配列されている。これらの仕切板４７ａ〜４７ｈは、円板４１に固定され、その内端は、円板４１の開口４４付近まで延在し、外端は円板４２の外周縁と一致している。
【００１９】
また、各パイプグループ４３ａ〜４３ｄのパイプ仕切板４７ａ〜４７ｈで挟まれた空間には、合成樹脂、軽金属等によって構成された多数のパイプ４３が積層されている。これらのパイプ４３は適宜な外径と内径を有し、両端は開放され、内部には、図５に示されるように、螺旋状の溝４９が形成され、これによりパイプ４３内に螺旋空気流を形成して塵埃を捕捉するようにしている。この場合、パイプ４３の内端は、円板４１の開口４４の孔縁と略一致し、外端が円板４１，４２の外周と略一致している。このようなパイプ４３は、複数本の取り付けねじ５０によって円板４１と４２を一体的に結合することによって脱落しないように固定される。この場合、ファン兼塵埃捕捉部材４０の掃除が必要なときには、円板４１を取り外すことにより、パイプ４３を簡単に清掃することができる。
【００２０】
ここで用いられるパイプ４３は、内部に溝４９を設けてパイプ４３の内部を半径方向に移動する空気流に螺旋運動を与え、これによって空気流に含まれる塵埃等を遠心力によって外方に分離して取り出すようにさせたけれども、同じような効果は、螺旋状の突起を設けても得られることはもちろんである。また、溝４９あるいは突起の代わりに、図６に示されるような螺旋板５３をパイプ４３内に挿入するようにしてもよい。螺旋板５３の場合は、その面に沿って空気流が螺旋状に流れるため、乱流にはならないが、空気流に遠心力が働くため、空気流中に含まれている塵埃等を外側に寄せてパイプの内周面に付着させることができる。したがって、この場合もファン本体４０の塵埃除去性能を高めることが可能である。
【００２１】
このような構造の送風機を溶接室に取り付ける場合、溶接室の天井板に設けた開口部にファンケース１０を取り付けて空気取入口１１を溶接室内に臨ませ、空気通路１８を溶接室の外部に臨ませる。なお、電気機器内に組み込む場合は、装置筐体の内壁面に空気取入口１１を筐体の外部に臨ませて取り付け、空気通路１８を筐体内部に連通させればよい。
【００２２】
そして、駆動モータ１を駆動してファン兼塵埃捕捉部材４０を図２の矢印Ａ方向に回転させると、ファン兼塵埃捕捉部材４０内の空気およびパイプ４３内の空気は遠心力によってその接線方向に放出され、ファン兼塵埃捕捉部材４０およびパイプ４３の内部が負圧になる。したがって、溶接室内の空気は空気流６０となって筒体１５の内部−空気取入口１１−円板４１の開口４４−ファン兼塵埃捕捉部材４０およびファンケース１０の内部ー通気孔２１−空気通路１８を通って外部へ排出される。
【００２３】
空気流がパイプ４３の内部を通過する際、空気流６０中に含まれている塵埃、油等の一部は、パイプ４３の内周面に当たって付着することによって除去される。この塵埃、油等は、パイプ４３からファンケース１０内に放出された後、入口板１２の内面に落下し、連通孔２６を通ってミストドレン２７より外部へ排出される。また、比較的重量のある塵埃等は、遠心力でパイプ４３内から外部へ放出され、ファンケース１０の内壁に衝突して下方に落下し、下方に堆積するかミストダクト２７を経て外部に放出される。
【００２４】
また、ファン兼塵埃捕捉部材４０のパイプ４３を通過してファンケース１０の内壁付近に導かれた空気流は、内壁付近を旋回しながら通気孔２１に導かれる。この通気孔２１から空気通路１８内に流入する空気流６０は、偏向板２３に当たると、この偏向板２３の傾斜角度αおよびθに基づいた方向に方向変換され、方向変換された旋回流となって空気通路１８内を旋回する。この空気流６０中に含まれている塵埃、油等は、遠心力を受け、重いものほど外側に移動し、その一部がファンケース１０の内壁や塵埃捕捉部２９の内面に当たり、最終的には連通孔２８を介して集塵ダクト２５に導かれる。集塵ダクト２５に導かれた塵埃等は連通孔２６およびミストドレン２７を経て外部へ排出される。したがって、清浄な空気を外部へ排出することができる。
【００２５】
このような送風機においては、中空のパイプ４３を用いているので、ファン本体４０に送風機能と集塵機能をもたせることができる。また、パイプ４３は目詰まりがなく、また圧力損失も少なく、送風機の送風性能を向上させる。さらに、パイプ４３は、ろ紙，ろ布，樹脂等の濾過材を用いた従来のフィルタと同等の塵埃除去性能を得ることができることを確認した。また、偏向板２３によって空気流６０を強制的に小さい角度で空気通路内１８に導くことができるので旋回流のピッチを従来構造よりも小さくすることができ、空気通路１８が従来より短くても従来と同様の空気流の通過距離を確保できる。その結果、従来よりもファンケース１０の長さを短くして送風機を小型化することができる。さらに、本発明によって特徴づけられる偏向板２３は、駆動モータ１を取り付ける仕切板１３を切り起こして通気口２１を設けると同時に切り起こした部分を偏向板２３として使用するため、特願平６−１０５０５２号に示される従来のものから部品点数が増加することもなく、安価で組立作業が容易である。
【００２６】
また、筒体１５の周面にノズル６１を設けておき、送風機の運転時に筒体１５内に水を噴射すると、空気流６０中に含まれている塵埃、油等が霧に付着して取り除かれるため、一層塵埃除去性能を向上させることができる。
【００２７】
図７および図８は、ファン兼塵埃捕捉部材４０の他の実施の形態を示す斜視図および部分断面図である。この実施の形態においては、５枚の円板７０ａ〜７０ｅを同軸に積層してファン兼塵埃捕捉部材４０を構成している。ファン兼塵埃捕捉部材４０は、前面中央部に設けられた空気吸込孔７２と、放射状に形成され内側開口端が空気吸込孔７２にそれぞれ連通し外側開口端がファン兼塵埃捕捉部材４０の外周に開口する多数の通路７３を備えている。４枚の円板７０ａ〜７０ｄは、中央に同一穴径の中心孔７４を有し、これらの中心孔７４によって空気吸込孔７２を形成している。また、円板７０ａ〜７０ｄの接合面には、図８によく示されるように、通路７３を形成する半円形の溝７５が放射方向に多数形成されている。残りの円板７０ｅは溝を有さず、内側面中央に駆動モータ１の出力軸に嵌合するボス部７７が一体に突設されている。
【００２８】
このような構造からなるファン兼塵埃捕捉部材４０においても、上述した実施の形態におけるファン兼塵埃捕捉部材と同様に送風機能と集塵機能を持たせることができる。すなわち、ファン兼塵埃捕捉部材４０を回転させると、通路７３内の空気が遠心力によって接線方向に放出されるため、空気吸込孔７２の内部が負圧になり、外部の空気が空気吸込孔７２に吸い込まれ、通路７３を通って接線方向に放出される。通路７３を通る際、空気中に含まれている塵埃、油等は、通路７３の内面に付着することにより除去される。
【００２９】
【発明の効果】
以上説明したように本発明に係る送風機によれば、筒状のファンケースと、このファンケースの内部に固定されることにより前記ファンケースの内部を入口側と出口側とに分ける仕切板と、この仕切板の入口側に出力軸が突出するように前記ファンケースの軸線に沿って仕切板の出口側に固定された駆動モータと、軸方向から空気を吸い込み径方向外方へ送り出すように放射状に形成された多数のパイプ通路を有して前記仕切板の入口側に配置されかつ前記駆動モータの出力軸に結合されたファン兼塵埃捕捉部材と、このファン兼塵埃捕捉部材へ空気流を導く空気取入口を中央に有し、前記ファンケースの入口側に前記仕切板と前記ファンケースと協同して前記ファン兼塵埃捕捉部材を取り囲む空間を形成するように配置された入口板と、前記仕切板の出口側で前記ファンケースの内側に設けられ前記ファンケースとともに環状の空気通路を形成する円筒部材とを備え、前記仕切板は前記ファンケースの内壁に近い部分の周方向にほぼ等配されて切り起こし形成され、前記ファン兼塵埃捕捉部材のパイプ通路および前記通気口を経た空気流の方向を変える複数対の偏向板および通気孔を有し、前記偏向板によって方向を変えられた空気流を前記空気通路に導いて旋回させるようにしたため、ファン兼塵埃捕捉部材の目詰まりもなく、圧力損失も少なく、送風効率を向上させることができる。しかも、偏向板によって空気流を強制的に小さい角度で空気通路内に導くことができるので旋回流のピッチを従来構造よりも小さくすることができ、空気通路が従来より短くても従来と同様の空気流の通過距離を確保できる。その結果、従来よりもファンケースの長さを短くして送風機を小型化することができる。さらに、本発明によって特徴づけられる偏向板は、駆動モータ１を取り付ける仕切板を切り起こして通気口を設けると同時に切り起こした部分を偏向板として使用するため、特願平６−１０５０５２号に示される従来のものから部品点数が増加することもなく、安価で組立作業が容易である。
【００３０】
また、空気通路に入る空気流を外方に角度を持たせた偏向板を用いることによって、微粒子状の油、塵埃等を遠心力によって外方に移動させ、筒体の内面や塵埃捕捉部に付着させたり、より確実に連通孔から集塵ダクトに排出することができ、塵埃除去性能を向上させることができる。
【図面の簡単な説明】
【図１】  本発明に係る送風機の実施の形態を示す断面図である。
【図２】  ファン兼塵埃捕捉部材の一部を破断して示す平面図である。
【図３】  駆動モータを取り付けた仕切板の入口側から見た正面図である。
【図４】  図３のＩＶ−ＩＶ線方向断面図である。
【図５】  ファン兼塵埃捕捉部材に組み込まれたパイプを一部切り欠いた状態を示す斜視図である。
【図６】  パイプのさらに他の実施の形態を示す斜視図である。
【図７】  ファン兼塵埃捕捉部材の他の実施形態を示す斜視図図である。
【図８】  図７のファン兼塵埃捕捉部材を構成する円板の一部を示す拡大断面図である。
【図９】  従来の送風機の側面図である。
【符号の説明】
１…駆動モータ、２…羽根、３…出力軸、４…送風機、５…フィルタ、６…吸込口、７…塵埃、１０…ファンケース、１１…空気取入口、１２…入口板、１３…仕切板、１８…空気通路、１９…空気通路形成部材、２１…通気孔、２３…偏向板、２５…集塵ダクト、２８…連通孔、２９…塵埃捕捉部、４０…ファン兼塵埃捕捉部材、４１，４２…円板、４３…パイプ通路、７２…空気吸込孔、７３…パイプ通路。
【図１】
0003828186.tif 000002
【図２】
0003828186.tif 000003
【図３】
0003828186.tif 000004
【図４】
0003828186.tif 000005
【図５】
0003828186.tif 000006
【図６】
0003828186.tif 000007
【図７】
0003828186.tif 000008
【図８】
0003828186.tif 000009
【図９】
0003828186.tif 000010